【手続補正書】
【提出日】令和3年4月2日(2021.4.2)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
遊技者にとっての有利度が異なる複数種類の設定値のうちからいずれかの設定値を設定する設定手段と、
前記設定手段によって設定された設定値を示唆する示唆演出を実行する演出手段と、
前記設定手段による設定値の変更有無を特定可能な設定変更データを記憶する記憶手段と、を備え、
前記設定変更データは、
前記設定手段により設定値が設定されたときに、設定値の変更有を特定可能なデータが設定され、
設定値の変更有を特定可能なデータが設定された後、電断が発生して当該電断から復帰し、当該電断中に遊技店の営業日の変更を示す特定条件が成立していたときに、該特定条件が成立するまでに前記示唆演出が実行されたか否かに関わらず、設定値の変更有を特定可能なデータから設定値の変更無を特定可能なデータに更新され、
前記演出手段は、前記設定変更データが設定値の変更有を特定可能なデータであるときと、前記設定変更データが設定値の変更無を特定可能なデータであるときとで異なる割合で、複数種類の前記示唆演出のうちから実行する前記示唆演出を選択する、遊技機。
【請求項２】
遊技を行うことが可能な遊技機であって、
遊技者にとっての有利度が異なる複数種類の設定値のうちからいずれかの設定値を設定する設定手段と、
前記設定手段によって設定された設定値を示唆する示唆演出を実行する演出手段と、
前記設定手段による設定値の変更有無を特定可能な設定変更データを記憶する記憶手段と、を備え、
前記設定変更データは、
前記設定手段により設定値が設定されたときに、設定値の変更有を特定可能なデータが設定され、
設定値の変更有を特定可能なデータが設定された後、電断が発生して当該電断から復帰し、当該電断中に遊技店の営業日の変更を示す特定条件が成立していたときに、該特定条件が成立するまでに前記示唆演出が実行されたか否かに関わらず、設定値の変更有を特定可能なデータから設定値の変更無を特定可能なデータに更新され、
前記演出手段は、前記設定変更データが設定値の変更有を特定可能なデータであるときと、前記設定変更データが設定値の変更無を特定可能なデータであるときとで異なる割合で、複数種類の前記示唆演出のうちから実行する前記示唆演出を選択し、
複数種類の前記示唆演出は、前記設定変更データが設定値の変更無を特定可能なデータであるときと、前記設定変更データが設定値の変更有を特定可能なデータであるときと、のいずれかでのみ選択される特定示唆演出が含まれる、遊技機。
【手続補正２】
【補正対象書類名】明細書
【補正対象項目名】０００７
【補正方法】変更
【補正の内容】
【０００７】
（Ａ）  遊技を行うことが可能な遊技機であって、
遊技者にとっての有利度が異なる複数種類の設定値のうちからいずれかの設定値を設定する設定手段と、
前記設定手段によって設定された設定値を示唆する示唆演出を実行する演出手段と、
前記設定手段による設定値の変更有無を特定可能な設定変更データを記憶する記憶手段と、を備え、
前記設定変更データは、
前記設定手段により設定値が設定されたときに、設定値の変更有を特定可能なデータが設定され、
設定値の変更有を特定可能なデータが設定された後、電断が発生して当該電断から復帰し、当該電断中に遊技店の営業日の変更を示す特定条件が成立していたときに、該特定条件が成立するまでに前記示唆演出が実行されたか否かに関わらず、設定値の変更有を特定可能なデータから設定値の変更無を特定可能なデータに更新され、
前記演出手段は、前記設定変更データが設定値の変更有を特定可能なデータであるときと、前記設定変更データが設定値の変更無を特定可能なデータであるときとで異なる割合で、複数種類の前記示唆演出のうちから実行する前記示唆演出を選択する。
（１）  遊技を行うことが可能な遊技機（たとえば、スロットマシンやパチンコ遊技機で例示される遊技機１）であって、
遊技者にとっての有利度（たとえば、内部抽選の当選確率）が異なる複数種類の設定値（たとえば、設定１〜６）のうちからいずれかの設定値を設定する設定手段（たとえば、設定部３７）と、
前記設定手段によって設定された設定値を示唆する示唆演出（たとえば、図２に示す示唆演出Ａ〜Ｉ）を実行する演出手段（たとえば、サブ制御部９１による示唆演出を実行する処理）と、
前記設定手段による設定値の変更有無を特定可能な設定変更データ（たとえば、図１（Ａ）に示す設定変更データ）を記憶する記憶手段（たとえば、ＲＡＭ４１ｃ）とを備え、
前記演出手段は、前記設定変更データが設定値の変更有を特定可能なデータであるときと、前記設定変更データが設定値の変更無を特定可能なデータであるときとで異なる割合で、複数種類の前記示唆演出のうちから実行する前記示唆演出を選択し（たとえば、図２に示すように、設定変更データが設定変更有であるときと、設定変更データが設定変更無であるときとで異なる割合で示唆演出が選択される）、
前記設定変更データは、所定期間（たとえば、設定変更後のゲーム数が１０００Ｇ）が経過するまでに前記示唆演出が実行されたか否かに関わらず、該所定期間が経過したことに基づいて、設定値の変更有を特定可能なデータから設定値の変更無を特定可能なデータに更新され（たとえば、図４（ａ）のｔ３に示すように、設定変更データは、設定変更後のゲーム数が１０００Ｇに到達するまでに示唆演出が実行されたか否かに関わらず、設定変更後のゲーム数が１０００Ｇに到達したことに基づいて、設定変更有から設定変更無に更新される）、
複数種類の前記示唆演出には、前記設定変更データが設定値の変更無を特定可能なデータであるときには選択される一方で、前記設定変更データが設定値の変更有を特定可能なデータであるときには選択されない特定示唆演出（たとえば、示唆演出Ｆ）が含まれる（たとえば、示唆演出には、図２（Ｂ）に示すように設定変更データが設定変更無であるときには選択される一方で、図２（Ａ）に示すように設定変更データが設定変更有であるときには選択されない示唆演出Ｆが含まれる）。
【手続補正３】
【補正対象書類名】明細書
【補正対象項目名】０００８
【補正方法】変更
【補正の内容】
【０００８】
（Ｂ）  遊技を行うことが可能な遊技機であって、
遊技者にとっての有利度が異なる複数種類の設定値のうちからいずれかの設定値を設定する設定手段と、
前記設定手段によって設定された設定値を示唆する示唆演出を実行する演出手段と、
前記設定手段による設定値の変更有無を特定可能な設定変更データを記憶する記憶手段と、を備え、
前記設定変更データは、
前記設定手段により設定値が設定されたときに、設定値の変更有を特定可能なデータが設定され、
設定値の変更有を特定可能なデータが設定された後、電断が発生して当該電断から復帰し、当該電断中に遊技店の営業日の変更を示す特定条件が成立していたときに、該特定条件が成立するまでに前記示唆演出が実行されたか否かに関わらず、設定値の変更有を特定可能なデータから設定値の変更無を特定可能なデータに更新され、
前記演出手段は、前記設定変更データが設定値の変更有を特定可能なデータであるときと、前記設定変更データが設定値の変更無を特定可能なデータであるときとで異なる割合で、複数種類の前記示唆演出のうちから実行する前記示唆演出を選択し、
複数種類の前記示唆演出は、前記設定変更データが設定値の変更無を特定可能なデータであるときと、前記設定変更データが設定値の変更有を特定可能なデータであるときと、のいずれかでのみ選択される特定示唆演出が含まれる。
（２）  遊技を行うことが可能な遊技機（たとえば、スロットマシンやパチンコ遊技機で例示される遊技機１）であって、
遊技者にとっての有利度（たとえば、内部抽選の当選確率）が異なる複数種類の設定値（たとえば、設定１〜６）のうちからいずれかの設定値を設定する設定手段（たとえば、設定部３７）と、
前記設定手段によって設定された設定値を示唆する示唆演出（たとえば、図２に示す示唆演出Ａ〜Ｉ）を実行する演出手段（たとえば、サブ制御部９１による示唆演出を実行する処理）と、
前記設定手段による設定値の変更有無を特定可能な設定変更データ（たとえば、図１（Ａ）に示す設定変更データ）を記憶する記憶手段（たとえば、ＲＡＭ４１ｃ）とを備え、
前記演出手段は、前記設定変更データが設定値の変更有を特定可能なデータであるときと、前記設定変更データが設定値の変更無を特定可能なデータであるときとで異なる割合で、複数種類の前記示唆演出のうちから実行する前記示唆演出を選択し（たとえば、図２に示すように、設定変更データが設定変更有であるときと、設定変更データが設定変更無であるときとで異なる割合で示唆演出が選択される）、
前記設定変更データは、所定期間（たとえば、設定変更後のゲーム数が１０００Ｇ）が経過するまでに前記示唆演出が実行されたか否かに関わらず、該所定期間が経過したことに基づいて、設定値の変更有を特定可能なデータから設定値の変更無を特定可能なデータに更新され（たとえば、図４（ａ）のｔ３に示すように、設定変更データは、設定変更後のゲーム数が１０００Ｇに到達するまでに示唆演出が実行されたか否かに関わらず、設定変更後のゲーム数が１０００Ｇに到達したことに基づいて、設定変更有から設定変更無に更新される）、
複数種類の前記示唆演出には、前記設定変更データが設定値の変更無を特定可能なデータであるときには第１確率（たとえば、５％）で選択される一方で、前記設定変更データが設定値の変更有を特定可能なデータであるときには前記第１確率より低い第２確率（たとえば、０％）で選択される特定示唆演出（たとえば、示唆演出Ｆ）が含まれる（たとえば、示唆演出には、図２（Ｂ）に示すように設定変更データが設定変更無であるときには２．５％で選択される一方で、図２（Ｂ）に示すように設定変更データが設定変更有であるときには０％で選択される示唆演出Ｆが含まれる）。